(57)【要約】【課題】  効率よく番組探索及び番組視聴を行い得る番組表表示装置を実現する。【課題を解決するための手段】  テレビジョン放送を選局して受信する受信手段と、受信手段で受信したチャンネルの番組映像を表示する映像表示手段と、テレビジョン放送の各チャンネルそれぞれで放送されている番組についての番組情報を取得する番組情報取得手段と、取得した各チャンネルそれぞれの番組情報を、番組映像とともに、順次映像表示手段に表示する番組情報表示手段とを設けたことにより、ユーザが任意に選局した番組映像を表示しながら、他の各チャンネルで放送中の裏番組についての番組情報を順次表示していくことができ、ユーザに対して効率よく番組探索及び番組視聴を行わせることができる。【選択図】        図４
2005094355.tif 000002
【特許請求の範囲】
【請求項１】
テレビジョン放送を選局して受信する受信手段と、
上記受信手段で受信したチャンネルの番組映像を表示する映像表示手段と、
上記テレビジョン放送の各チャンネルそれぞれで放送されている番組についての番組情報を取得する番組情報取得手段と、
上記取得した各チャンネルそれぞれの上記番組情報を、上記番組映像とともに、順次上記映像表示手段に表示する番組情報表示手段と
を具えることを特徴とする番組情報表示装置。
【請求項２】
上記番組情報表示手段は、上記各チャンネルのチャンネルリストを順次スクロールして上記映像表示手段に表示するとともに、当該スクロールに応じて上記チャンネルリスト上で順次選択される上記チャンネルの番組情報を上記映像表示手段に表示する
ことを特徴とする請求項１に記載の番組情報表示装置。
【請求項３】
上記受信手段は、上記チャンネルリスト上で選択された上記チャンネルを選局して受信する
ことを特徴とする請求項１に記載の番組情報表示装置。
【請求項４】
受信手段が受信したテレビジョン放送のチャンネルの番組映像を映像表示手段に表示する映像表示ステップと、
上記テレビジョン放送の各チャンネルそれぞれで放送されている番組についての番組情報を取得する番組情報取得ステップと、
上記取得した各チャンネルそれぞれの上記番組情報を、上記番組映像とともに、順次上記映像表示手段に表示する番組情報表示ステップと
を具えることを特徴とする番組情報表示方法。
【請求項５】
上記番組情報表示ステップは、上記各チャンネルのチャンネルリストを順次スクロールして上記映像表示手段に表示するとともに、当該スクロールに応じて上記チャンネルリスト上で順次選択される上記チャンネルの番組情報を上記映像表示手段に表示する
ことを特徴とする請求項４に記載の番組情報表示方法。
【請求項６】
上記チャンネルリスト上で選択された上記チャンネルを選局して受信する選局ステップ
を具えることを特徴とする請求項４に記載の番組情報表示方法。
【請求項７】
テレビジョン放送受信装置に対して、
受信手段が受信したテレビジョン放送のチャンネルの番組映像を映像表示手段に表示する映像表示ステップと、
上記テレビジョン放送の各チャンネルそれぞれで放送されている番組についての番組情報を取得する番組情報取得ステップと、
上記取得した各チャンネルそれぞれの上記番組情報を、上記番組映像とともに、順次上記映像表示手段に表示する番組情報表示ステップと
を実行させるための番組情報表示プログラム。
【発明の詳細な説明】
【技術分野】
【０００１】
本発明は番組情報表示装置に関し、例えばテレビジョン装置に適用して好適なものである。
【背景技術】
【０００２】
近年、放送衛星や通信衛星、あるいは地上波を介してテレビジョン信号をデジタル化して伝送し、各家庭においてこれを受信するシステムが普及している。このシステムにおいては、数十ものチャンネルを確保することが可能であるため、極めて多数の番組を放送することができる。
【０００３】
このようなシステムにおいては、多数の番組の中から所望の番組を確実に選択することができるようにするため、番組の放送予定時間や番組内容等の各種番組情報等でなる電子番組表（ＥＰＧ：Ｅｌｅｃｔｒｉｃａｌ Ｐｒｏｇｒａｍ Ｇｕｉｄｅ）情報を放送局から送信し、テレビジョン装置等の受信側においてこれを受信してＥＰＧ画面として表示する。そしてユーザ（視聴者）は、このＥＰＧ画面上で所望の番組を選択し得るようになされている。
【０００４】
実際上、現在視聴中のチャンネルとは異なるチャンネルで放送されている番組（いわゆる裏番組）の内容をＥＰＧ画面を用いてチェックしようとした場合、ユーザはまずテレビジョン装置を操作して、複数の番組リストを同時表示する一覧表示モードでＥＰＧ画面を表示（起動）させる。
【０００５】
この状態においてユーザは、ＥＰＧ画面上の番組リストをスクロール操作して番組を探索する。そして、視聴しようとする番組が決定すると、ユーザは番組リスト上で番組を選択する。これに応じてテレビジョン装置はＥＰＧ画面の表示を終了するとともに、選択された番組を選局して表示する。
【特許文献１】特開２００１−２８７１７公報
【発明の開示】
【発明が解決しようとする課題】
【０００６】
このように、ユーザは番組視聴時においては受動的な体勢で視聴を行うのに対し、ＥＰＧ画面を用いて番組を選択する場合はテレビジョン装置を操作して能動的に番組を探索する必要があり、操作が煩雑であるという問題があった。
【０００７】
また、番組を探索するためにＥＰＧ画面を表示させると、これにより視聴していた番組の表示が中断されてしまうという問題があった。
【０００８】
さらに、選択した番組の視聴中に再び番組を探索しようとした場合、再度ＥＰＧ画面を表示させる必要があり、操作が煩雑であるという問題があった。
【０００９】
本発明は以上の点を考慮してなされたもので、電子番組表を用いて効率よく番組探索及び番組視聴を行い得る番組情報表示装置を提案しようとするものである。
【課題を解決するための手段】
【００１０】
かかる課題を解決するため本発明においては、テレビジョン放送を選局して受信する受信手段と、受信手段で受信したチャンネルの番組映像を表示する映像表示手段と、テレビジョン放送の各チャンネルそれぞれで放送されている番組についての番組情報を取得する番組情報取得手段と、取得した各チャンネルそれぞれの番組情報を、番組映像とともに、順次映像表示手段に表示する番組情報表示手段とを設けるようにする。
【００１１】
これにより、ユーザが任意に選局した番組映像を表示しながら、他の各チャンネルで放送中の裏番組についての番組情報を順次表示していくことができ、ユーザに対して効率よく番組探索及び番組視聴を行わせることができる。
【発明の効果】
【００１２】
上述のように本発明によれば、テレビジョン放送を選局して受信する受信手段と、受信手段で受信したチャンネルの番組映像を表示する映像表示手段と、テレビジョン放送の各チャンネルそれぞれで放送されている番組についての番組情報を取得する番組情報取得手段と、取得した各チャンネルそれぞれの番組情報を、番組映像とともに、順次映像表示手段に表示する番組情報表示手段とを設けたことにより、ユーザが任意に選局した番組映像を表示しながら、他の各チャンネルで放送中の裏番組についての番組情報を順次表示していくことができ、ユーザに対して効率よく番組探索及び番組視聴を行わせることができる。
【発明を実施するための最良の形態】
【００１３】
以下、図面について、本発明の一実施の形態を詳述する。
【００１４】
（１）テレビジョン装置の全体構成
図１において、１は全体として本発明を適用した番組情報表示装置としてのテレビジョン装置を示し、ＲＯＭ(Read Only Memory)及びＲＡＭ(Random Access Memory)を有するＣＰＵ構成でなる制御部２によって全体を統括制御するようになされている。
【００１５】
そしてテレビジョン装置１は、アンテナ３を介して受信した放送波のうち、リモートコントローラ（以下、これをリモコンと呼ぶ）４を介して選局されたチャンネルの番組を復調処理し、当該番組に係る映像及び音声をそれぞれ表示部５及びスピーカ６を介して出力するようになされている。
【００１６】
すなわちテレビジョン装置１は、例えば放送衛星から送信された放送波Ｓ１をアンテナ３を介して受信し、これをフロントエンド部７に送出すると共に、リモコン４からリモコン受光部８を介して受信した操作信号Ｓ２を制御部２を介してフロントエンド部７に送出する。
【００１７】
受信手段としてのフロントエンド部７は、受信した放送波Ｓ１から、操作信号Ｓ２で指定されたチャンネルの受信データストリームＤ１だけを抽出してデマルチプレクサ９へ送出する。
【００１８】
デマルチプレクサ９は、受信データストリームＤ１を複数のＴＳ(Transport Stream)パケットに分割し、そのうちの映像データ部分からなる複数の映像パケットデータＤ２をＭＰＥＧ２ビデオデコーダ１０へ順次送出すると共に、音声データ部分からなる複数の音声パケットデータＤ３をＭＰＥＧオーディオデコーダ１１へ順次送出する。
【００１９】
ＭＰＥＧ２ビデオデコーダ１０は、複数の映像パケットデータＤ２をデコードすることにより圧縮符号化前の映像データＤ４に変換し、これをＮＴＳＣ(National Television System Committee)変換部１２へ送出する。ＮＴＳＣ変換部１２は、映像データＤ４をビデオ信号Ｓ５に変換し、これを映像表示手段としての表示部５に出力することにより番組映像として表示する。
【００２０】
一方ＭＰＥＧオーディオデコーダ１１は、複数の音声パケットデータＤ３をデコードすることにより圧縮符号化前の音声データＤ６に変換し、これをディジタルアナログ変換器１３を介してアナログ音声信号Ｓ７に変換し、スピーカ６を介して番組音声として出力する。
【００２１】
ところでテレビジョン装置１は、放送波Ｓ１に電子番組ガイドであるＥＰＧ情報が多重化されて提供されている場合、番組情報取得手段としてのフロントエンド部７及びデマルチプレクサ９を介して受信データストリームＤ１から当該ＥＰＧ情報を抽出し、番組情報表示手段としてのＭＰＥＧ２ビデオデコーダ１０及びＮＴＳＣ変換部１２を介してＥＰＧ情報に基づくＥＰＧ画面として表示部５に表示するようになされており、これにより当該ＥＰＧ画面の中からユーザ所望の番組を選択させるようになされている。
【００２２】
図２はリモコン４の外観構成を示し、筐体２０の上方にチャンネルを直接選局するための１から１２までのダイレクト選局キー２１が設けられているとともに、当該ダイレクト選局キー２１の下方には、ＥＰＧ画面上でのカーソル移動や選局等を行うための、上方向（↑）キー２２Ａ、下方向（↓）キー２２Ｂ、右方向（→）キー２２Ｃ及び左方向（←）キー２２Ｄからなる十字カーソルキー２２が設けられている。
【００２３】
さらに、十字カーソルキー２２の中央には、ＥＰＧ画面上でのチャンネル選択や各種設定等を決定するための決定キー２３が設けられているとともに、十字カーソルキー２２の下方には、ＥＰＧ画面を表示開始及び終了するためのＥＰＧキー２４、表示設定等の各種メニュー画面を表示するためのツールキー２５及び選局中のチャンネルを直接上下するための＋／−キー２６が設けられている。
【００２４】
リモコン４は、各キーに対するユーザの押圧操作に応じた操作信号Ｓ２をテレビジョン装置１に送信する。そしてテレビジョン装置１の制御部２は、操作信号Ｓ２に応じて選局やＥＰＧ画面の表示を行う。
【００２５】
（２）ＥＰＧ画面表示処理
次に、本発明の特徴であるＥＰＧ画面の表示処理手順を、図３に示すフローチャートを用いて説明する。テレビジョン装置１の制御部２は、ルーチンＲＴ１の開始ステップから入って次のステップＳＰ１へ移る。
【００２６】
ステップＳＰ１において制御部２は、リモコン６からのＥＰＧキー２の押下に応じた操作信号Ｓ２を待ち受け、当該操作信号Ｓ２を受信すると次のステップＳＰ２へ移る。
【００２７】
ステップＳＰ２において制御部２は、図４に示すＥＰＧ画面３０を生成して表示部５に表示し、次のステップＳＰ３へ移る。
【００２８】
このＥＰＧ画面３０には、画面左上の隅に、現在視聴中（後述するミニビデオ表示部３５に表示中）のチャンネル番号を表示するための視聴中チャンネル表示部３１が設けられているとともに、その下方には、ＥＰＧ画面３０の左縁に添って、縦長のＥＰＧチャンネルリスト表示部３２が設けられている。また、ＥＰＧ画面３０の下縁には、その横幅いっぱいに渡って横長のＥＰＧ詳細情報表示部３３が設けられており、ＥＰＧチャンネルリスト表示部３２とＥＰＧ詳細情報表示部３３とでＬ字型のＥＰＧ表示部３４を構成している。
【００２９】
さらに、ＥＰＧ画面３０における残りの領域には、テレビジョン放送の番組映像を表示部５の表示面に対して若干縮小して表示するミニビデオ表示部３５が設けられている。なお、番組を通常通りに表示できない場合（未契約番組、番組の休止中等）は、その旨のメッセージを当該ミニビデオ表示部３５に表示する。
【００３０】
ＥＰＧチャンネルリスト表示部３２には、現在番組が放送されているチャンネルの番号を表示するチャンネルリスト３２Ａが縦に６個並べて表示されている。また、６個のチャンネルリスト３２Ａのうちの一つ（この場合、上から３個目の１７１チャンネル）には、カーソル３２Ｂがオーバーラップ表示されている。
【００３１】
さらにチャンネルリスト３２Ａには、ユーザがあらかじめ登録した好みのジャンルの番組が放送されている場合、当該ジャンルを視覚的に通知するためのジャンルアイコン３２Ｃが表示される。
【００３２】
そしてＥＰＧ詳細情報表示部３３には、カーソル３２Ｂで選択されたチャンネルで今現在放送されている番組についての詳細情報が表示される。この詳細情報としては、チャンネルロゴ、チャンネル番号、番組名、放送時間、番組ジャンル、視聴年齢制限の有無、有料／無料の区分、視聴契約情報（未契約／契約済）、ＰＰＶ（Pay Per View）の課金金額等がある。また、表示領域に余裕がある場合は、チャンネル名、視聴予約状況、ＳＤ（Standard Definition / High Definition）の区分、字幕の有無等も表示される。
【００３３】
このようにテレビジョン装置１は、ＥＰＧ画面３０の左縁及び下縁に添ってＬ字型のＥＰＧ表示部３４を設けるとともに、残りの領域にミニビデオ表示部３５を設けることにより、ユーザが任意に選択した番組映像をミニビデオ表示部３５で表示しながら、現在放送中のチャンネル及びその番組情報をＥＰＧ表示部３４で表示し得るようになされている。
【００３４】
ステップＳＰ３において制御部２は、ユーザによるリモコン４の各キーに対する入力操作を所定の入力待機時間（例えば５秒）の間待ち受ける。そして、当該入力待機時間の間に入力操作を検出しなかった場合、制御部２はステップＳＰ４に移る。
【００３５】
ステップＳＰ４において制御部２は、後述する自動スクロール設定をメモリ（図示せず）から読み出し、当該自動スクロール設定の設定状態を判別する。ステップＳＰ４において自動スクロールが「オフ」に設定されている場合、制御部２はステップＳＰ３に戻る。
【００３６】
これに対して、自動スクロールが「オン」に設定されている場合、制御部２はステップＳＰ５に移ってＥＰＧチャンネルリスト表示部３２の自動スクロール表示を開始した後、ステップＳＰ３に戻る。
【００３７】
このとき制御部２は、ＥＰＧチャンネルリスト表示部３２に表示されるチャンネルリスト３２Ａの数に応じて、スクロール方法を変えて表示する。
【００３８】
すなわち、表示されるチャンネルリスト３２Ａの数がＥＰＧチャンネルリスト表示部３２の１画面分よりも多い場合、制御部２は図５に示すように、一連のチャンネルリスト３２Ａを所定のスクロール間隔（例えば３秒）毎に上方向または下方向に１段ずつ移動表示（スクロール表示）する。そして、チャンネルリスト３２Ａの一端までスクロールすると、チャンネルリスト３２Ａの他端に戻ってスクロールを継続する。この場合制御部２はカーソル３２Ｂの位置を固定したまま表示することにより、当該カーソル３２Ｂで選択されるチャンネルリスト３２Ａを、スクロールに応じて自動的に順次変更していく。
【００３９】
これに対して、表示されるチャンネルリスト３２Ａの数がＥＰＧチャンネルリスト表示部３２の１画面分よりも少ない場合、制御部２は図６に示すように、一連のチャンネルリスト３２Ａを固定したまま表示するとともに、カーソル３２Ｂを上方向または下方向に１段ずつスクロール表示する。そして、チャンネルリスト３２Ａの一端までスクロールすると、チャンネルリスト３２Ａの他端に戻ってスクロールを継続する。
【００４０】
このとき制御部２は、自動スクロールによってカーソル３２Ｂが選択していくチャンネルの番組それぞれについての詳細情報を、順次ＥＰＧ詳細情報表示部３３に表示する。これによりテレビジョン装置１は、ユーザが任意に選択した番組映像をミニビデオ表示部３５で表示しながら、放送中の各チャンネルの番組情報を順次ユーザに対して提供することができる。
【００４１】
一方、ステップＳＰ３において入力待機時間の間に入力操作を検出した場合、制御部２はステップＳＰ６に移り、当該検出した入力操作がリモコン４のどのキーに対するものであるかを操作信号Ｓ２に基づいて判定する。
【００４２】
ステップＳＰ６において、検出した入力操作が決定キー２３に対する押下であると判定した場合、制御部２はステップＳＰ７に移る。ステップＳＰ７において制御部２は、決定キーが押下された時点でカーソル３２Ｂが選択していたチャンネルを選局し、その番組映像をミニビデオ表示部３５に表示してステップＳＰ３に戻る。
【００４３】
また、ステップＳＰ６において、検出した入力操作が上方向キー２２Ａ又は下方向キー２２Ｂに対する押下であると判定した場合、制御部２はステップＳＰ８に移り、自動スクロール表示が実行中であるかを判断する。
【００４４】
ステップＳＰ８において自動スクロール表示が実行中ではない場合、制御部２はステップＳＰ１０に移る。これに対して、ステップＳＰ８において自動スクロール表示が実行中である場合、制御部２はステップＳＰ９に移り、自動スクロールを一時的に停止した後ステップＳＰ１０に移る。
【００４５】
ステップＳＰ１０において制御部２は、上方向キー２２Ａ又は下方向キー２２Ｂに対する押下操作に応じてＥＰＧチャンネルリスト表示部３２を手動スクロールし、次のステップＳＰ１１に移る。そして、ステップＳＰ１１において制御部２は、カーソル３２Ｂが選択しているチャンネルの番組についての詳細情報をＥＰＧ詳細情報表示部３３に表示し、ステップＳＰ３に戻る。これによりテレビジョン装置１は、チャンネルリストの自動スクロール中においても、上方向キー２２Ａ又は下方向キー２２Ｂを押下操作することにより、自動スクロールを一時停止して任意のチャンネルの詳細情報を確認し得るようになされている。
【００４６】
また、ステップＳＰ６において、検出した入力操作がツールキー２５に対する押下であると判定した場合、制御部２はステップＳＰ１２に移り、図７（Ａ）に示すツールウインドウ４０をポップアップ表示した後、次のステップＳＰ１３に移る。
【００４７】
このツールウインドウ４０には、下から順に、このウインドウの名称（ツール）を表示するタイトル４０Ａ、自動スクロールの設定を開始するための自動スクロールボタン４０Ｂ及び自動スクロールの設定を決定して当該ツールウインドウ４０を表示終了するための「閉じる」ボタン４０Ｃが設けられているとともに、自動スクロールボタン４０Ｂ又は「閉じる」ボタン４０Ｃの一方を選択するためのカーソル４０Ｄがオーバーラップ表示される。
【００４８】
ステップＳＰ１３において制御部２は、ツールウインドウ４０内のボタン（自動スクロールボタン４０Ｂ又は「閉じる」ボタン４０Ｃ）に対する入力操作を待ち受ける。そして、ステップＳＰ１３において自動スクロールボタン４０Ｂに対する入力操作を検出すると、制御部２は次のステップＳＰ１４に移る。
【００４９】
ステップＳＰ１４において制御部２は、図７（Ｂ）に示すように、スクロール設定ウインドウ４１をポップアップ表示した後、次のステップＳＰ１５に移る。この自動スクロール設定ウインドウ４１には、自動スクロールオンボタン４１Ａ及び自動スクロールオフボタン４１Ｂが設けられているとともに、自動スクロールオンボタン４１Ａ又は自動スクロールオフボタン４１Ｂの一方を選択するためのカーソル４１Ｃがオーバーラップ表示される。
【００５０】
ステップＳＰ１５において制御部２は、スクロール設定ウインドウ４１内のボタン
に対する入力操作を待ち受ける。
【００５１】
ステップＳＰ１５において自動スクロールオンボタン４１Ａに対する入力操作を検出すると、制御部２はステップＳＰ１６に移り、自動スクロール設定を「オン」（自動スクロールを実行する）状態に設定してメモリ（図示せず）に書き込み、ステップＳＰ１８に移る。これに対して、ステップＳＰ１５において自動スクロールオフボタン４１Ｂに対する入力操作を検出すると、制御部２はステップＳＰ１７に移り、自動スクロール設定を「オフ」（自動スクロールを実行しない）状態に設定してメモリに書き込み、ステップＳＰ１８に移る。
【００５２】
そして、ステップＳＰ１８において制御部２は、ツールウインドウ４０及びスクロール設定ウインドウ４１の表示を終了してステップＳＰ３に戻る。
【００５３】
一方、ステップＳＰ１３において「閉じる」ボタン４０Ｃに対する入力操作を検出すると、制御部２はスクロール設定ウインドウ４１を表示することなくステップＳＰ１８に移り、ツールウインドウ４０の表示を終了してステップＳＰ３に戻る。
【００５４】
このようにテレビジョン装置１は、ＥＰＧチャンネルリスト表示部３２の自動スクロール表示を、ユーザの任意に応じてオン又はオフし得るようになされている。
【００５５】
また、ステップＳＰ６において、検出した入力操作がＥＰＧキー２４、＋／−キー２６あるいはダイレクト選局キー２１であると判定した場合、制御部２はステップＳＰ１９に移り、ＥＰＧ画面３０の表示を終了して、表示部５の全表示領域に番組映像を表示し、次のステップＳＰ２０でＥＰＧ画面の表示処理手順を終了する。
【００５６】
（３）動作及び効果
以上の構成において、テレビジョン装置１の制御部２は、ＥＰＧ画面３０の左縁及び下縁に添ってＬ字型のＥＰＧ表示部３４を表示するとともに、ユーザが任意に選択した番組映像をＥＰＧ画面３０の残りの領域のミニビデオ表示部３５に表示する。
【００５７】
そして制御部２は、ＥＰＧ表示部３４のＥＰＧチャンネルリスト表示部３２に表示した複数のチャンネルリスト３２Ａを自動的にスクロール表示するとともに、当該スクロール表示によって選択されていく各チャンネルで放送中の番組についての番組情報を、ＥＰＧ表示部３４のＥＰＧ詳細情報表示部３３に順次表示する。
【００５８】
このようにテレビジョン装置１は、ユーザが任意に選局したチャンネルの番組映像をミニビデオ表示部３５に表示しながら、他の各チャンネルで放送中の裏番組についての番組情報を、ＥＰＧ表示部３４に自動的に表示していく。
【００５９】
これによりユーザは、自ら選局した番組を視聴しながら、同時に放送されている裏番組の番組情報を取得することができる。
【００６０】
そして制御部２は、決定キー２３の押下に応じて、ＥＰＧチャンネルリスト表示部３２で選択されているチャンネルを選局して番組映像をミニビデオ表示部３５に表示する。このとき制御部２はＥＰＧ表示部３４を表示し続けることにより、ユーザにＥＰＧ表示部３４の消去や再表示といった手間をかけさせることなく、ＥＰＧを用いた番組情報の閲覧、選局及び番組視聴といった一連の操作の繰り返しを継続して行わせることができる。
【００６１】
（４）他の実施の形態
なお上述の実施の形態においては、ＥＰＧ画面３０の左縁及び下縁に添ってＬ字型のＥＰＧ表示部３４を表示するとともに、ＥＰＧ画面３０の残りの領域のミニビデオ表示部３５に番組映像を表示するようにしたが、本発明はこれに限らず、表示部５の全面に番組映像を表示しながら、ＥＰＧ表示部３４を当該番組映像にオーバーラップ表示するようにしてもよく、要は、番組映像とＥＰＧ表示部３４とを常に同時に表示するようにすればよい。
【００６２】
また上述の実施の形態においては、ＥＰＧ画面３０の左縁にＥＰＧチャンネルリスト表示部３２を表示するとともに、ＥＰＧ画面３０の下縁にＥＰＧ詳細情報表示部３３に表示して、Ｌ字型のＥＰＧ表示部３４を表示するようにしたが、本発明はこれに限らず、ＥＰＧ画面３０の上縁にＥＰＧチャンネルリスト表示部３２を表示したり、ＥＰＧチャンネルリスト表示部３２とＥＰＧ詳細情報表示部３３とを重ねてＥＰＧ画面３０の下縁に表示するなど、要はＥＰＧチャンネルリスト表示部３２とＥＰＧ詳細情報表示部３３とを同時に表示するようにすればよい。
【００６３】
また上述の実施の形態においては、放送波Ｓ１に多重化されて提供されているＥＰＧ情報に基づいてＥＰＧ画面を生成して表示するようにしたが、本発明はこれに限らず、例えばインターネット上の情報提供サーバからＥＰＧ情報を取得し、これに基づいてＥＰＧ画面を生成して表示する等、様々な方法でＥＰＧ情報を取得するようにしてもよい。
【００６４】
さらに上述の実施の形態においては、本発明をテレビジョン装置１に適用した場合について述べたが、本発明はこれに限らず、ＥＰＧ情報を受信して表示する機能を有するビデオテープレコーダやＩＲＤ(Integrated Receiver/Decoder)等の各種テレビジョン放送受信装置に適用してもよい。
【産業上の利用可能性】
【００６５】
本発明の番組表表示装置は、テレビジョン装置やＩＲＤ等の各種放送受信装置に適用できる。
【図面の簡単な説明】
【００６６】
【図１】テレビジョン装置の全体構成を示すブロック図である。
【図２】リモコンの外観構成を示す略線図である。
【図３】ＥＰＧ画面表示処理手順を示すフローチャートである。
【図４】ＥＰＧ画面の画面構成を示す略線図である。
【図５】チャンネルリストのスクロールの様子を示す略線図である。
【図６】チャンネルリストのスクロールの様子を示す略線図である。
【図７】ツールウインドウの構成を示す略線図である。
【符号の説明】
【００６７】
１……テレビジョン装置、２……制御部、３……アンテナ、４……リモートコントローラ、５……表示部、６……スピーカ、７……フロントエンド部、８……リモコン受光部、９……デマルチプレクサ、１０……ＭＰＥＧ２ビデオデコーダ、１１……ＭＰＥＧオーディオデコーダ、１２……ＮＴＳＣ変換部、１３……ディジタルアナログ変換器。
【図１】
2005094355.tif 000003
【図２】
2005094355.tif 000004
【図３】
2005094355.tif 000005
【図４】
2005094355.tif 000006
【図５】
2005094355.tif 000007
【図６】
2005094355.tif 000008
【図７】
2005094355.tif 000009